(57)【要約】  ヘアドライヤ（１）の吹き出し構造は、第１の吹き出し口（１１ａ）と、第１の吹き出し口（１１ａ）から離間して配置されている第２の吹き出し口（１１ｂ）とを備える。この吹き出し構造は、第１の吹き出し口（１１ａ）および第２の吹き出し口（１１ｂ）の配置面からヘアドライヤの想定使用距離（Ｌ）だけ離れた位置（すなわち、施術箇所の位置）において、第１の吹き出し口（１１ａ）の正面位置と第２の吹き出し口（１１ｂ）の正面位置との間で、第１の吹き出し口（１１ａ）から吹き出された風と、第２の吹き出し口（１１）から吹き出された風とによって乱流が生じるように構成されている。
2019244390.tif 000002
【特許請求の範囲】
【請求項１】
ヘアドライヤの吹き出し構造であって、
第１の吹き出し口と、
前記第１の吹き出し口から離間して配置されている第２の吹き出し口と
を備え、
前記第１の吹き出し口および前記第２の吹き出し口の配置面から前記ヘアドライヤの想定使用距離だけ離れた位置において、
前記第１の吹き出し口の正面位置と前記第２の吹き出し口の正面位置との間で、前記第１の吹き出し口から吹き出された風と、前記第２の吹き出し口から吹き出された風とによって乱流が生じるように構成されている、
吹き出し構造。
【請求項２】
前記第１の吹き出し口と、前記第２の吹き出し口とは、前記ヘアドライヤの幅方向に並んで配置されており、
前記第１の吹き出し口および前記第２の吹き出し口は、前記幅方向に対して交差する方向に長手方向を有する縦長形状となっている、
請求項１に記載の吹き出し構造。
【請求項３】
前記ヘアドライヤの想定使用距離だけ離れた位置において、
前記第１の吹き出し口の正面位置および前記第２の吹き出し口の正面位置における風の速度よりも、各正面位置の中央位置における風の速度が低くなるように構成されている、
請求項１または２に記載の吹き出し構造。
【請求項４】
前記第１の吹き出し口の正面位置および前記第２の吹き出し口の正面位置における風の速度と、各正面位置の中央位置における風の速度との差は、４．０ｍ／ｓ以上である、請求項３に記載の吹き出し構造。
【請求項５】
前記第１の吹き出し口と前記第２の吹き出し口とは、正面から見て互いに略平行に配置されている、請求項１から４の何れか１項に記載の吹き出し構造。
【請求項６】
請求項１から５の何れか１項に記載の吹き出し構造を有しているヘアドライヤ。
【請求項７】
第１の吹き出し口と、前記第１の吹き出し口から離間して配置されている第２の吹き出し口とを備えているヘアドライヤの使用方法であって、
前記第１の吹き出し口および前記第２の吹き出し口の配置面から前記ヘアドライヤの想定使用距離だけ離れた位置において、
前記第１の吹き出し口の正面位置と前記第２の吹き出し口の正面位置との間で、前記第１の吹き出し口から吹き出された風と、前記第２の吹き出し口から吹き出された風とによって乱流を生じさせる、使用方法。
【請求項８】
前記ヘアドライヤの想定使用距離だけ離れた位置において、
前記第１の吹き出し口の正面位置および前記第２の吹き出し口の正面位置における風の速度よりも、各正面位置の中央位置における風の速度を低くさせることによって、前記乱流を生じさせる、
請求項７に記載の使用方法。
【請求項９】
前記第１の吹き出し口の正面位置および前記第２の吹き出し口の正面位置における風の速度と、各正面位置の中央位置における風の速度との差を、４．０ｍ／ｓ以上とする、請求項７に記載の使用方法。
【請求項１０】
前記第１の吹き出し口と、前記第２の吹き出し口とは、前記ヘアドライヤの幅方向に並んで配置されており、
前記第１の吹き出し口および前記第２の吹き出し口は、前記幅方向に対して交差する方向に長手方向を有する縦長形状となっており、
前記縦長形状を、前記ヘアドライヤの使用対象である毛髪の伸長方向に沿うように配置させる、
請求項７から９の何れか１項に記載の使用方法。
【発明の詳細な説明】
【技術分野】
【０００１】
本開示は、ヘアドライヤの吹き出し構造、およびこの吹き出し構造を有するヘアドライヤに関する。また、本開示は、２つの吹き出し口を有するヘアドライヤの使用方法に関する。
【背景技術】
【０００２】
ヘアドライヤを用いて濡れた髪を乾燥させる場合には、より短時間で乾燥を完了させることが望まれる。例えば、特許文献１には、モータ、ファンおよびヒータ等を内蔵する本体部とスイッチ等を内蔵するハンドル部を有し、本体部およびハンドル部間の角度が調節可能なヘアードライヤーにおいて、複数の本体部で構成され、各本体部が互いに独立して角度を調整できるように構成されたヘアードライヤーが開示されている。このような構成によって、一度に広範囲の乾燥を行い、乾燥完了までの時間を短縮化することを目的としている。
【先行技術文献】
【特許文献】
【０００３】
【特許文献１】特開昭５９−１２９００６号公報
【発明の概要】
【発明が解決しようとする課題】
【０００４】
濡れた髪をより効率的に乾燥させるためのヘアドライヤの構造、およびヘアドライヤを用いた髪の乾燥方法に関しては、さらなる検討の余地がある。【０００５】
そこで、本発明では、より効率的に髪を乾燥させることのできるヘアドライヤの吹き出し構造およびヘアドライヤの使用方法を提供する。
【課題を解決するための手段】
【０００６】
本発明の一局面にかかるヘアドライヤの吹き出し構造は、第１の吹き出し口と、前記第１の吹き出し口から離間して配置されている第２の吹き出し口とを備えている。この吹き出し構造は、前記第１の吹き出し口および前記第２の吹き出し口の配置面から前記ヘアドライヤの想定使用距離だけ離れた位置において、前記第１の吹き出し口の正面位置と前記第２の吹き出し口の正面位置との間で、前記第１の吹き出し口から吹き出された風と、前記第２の吹き出し口から吹き出された風とによって乱流が生じるように構成されている。【０００７】
また、本発明のもう一つの局面にかかるヘアドライヤは、上記の本発明の一局面にかかる吹き出し構造を有している。【０００８】
また、本発明のもう一つの局面にかかるヘアドライヤの使用方法は、第１の吹き出し口と、前記第１の吹き出し口から離間して配置されている第２の吹き出し口とを備えているヘアドライヤの使用方法である。この方法では、前記第１の吹き出し口および前記第２の吹き出し口の配置面から前記ヘアドライヤの想定使用距離だけ離れた位置において、前記第１の吹き出し口の正面位置と前記第２の吹き出し口の正面位置との間で、前記第１の吹き出し口から吹き出された風と、前記第２の吹き出し口から吹き出された風とによって乱流を生じさせる。
【発明の効果】
【０００９】
本発明の一局面にかかるヘアドライヤの吹き出し構造をヘアドライヤの吹き出し口に適用することで、より効率的に髪を乾燥させることのできるヘアドライヤが得られる。本発明のもう一つの局面にかかるヘアドライヤの使用方法によれば、より効率的に髪を乾燥させることができる。
【図面の簡単な説明】
【００１０】
【図１】本発明の一実施形態にかかるヘアドライヤの外観構成を示す斜視図である。
【図２】図１に示すヘアドライヤの外観構成を示す正面図である。
【図３】図１に示すヘアドライヤの内部構成を示すブロック図である。
【図４】図１に示すヘアドライヤの吹き出し口の構成を示す上面模式図である。
【図５】図１に示すヘアドライヤから吹き出される風の速度分布を示す模式図である。
【図６】図１に示すヘアドライヤから吹き出される風から乱流が発生する様子を示す模式図である。
【図７】第２の実施形態にかかるヘアドライヤの吹き出し口の構成を示す上面模式図である。
【図８】第３の実施形態にかかるヘアドライヤの外観構成を示す正面図である。
【図９】実施例で使用したヘアドライヤと、施術対象であるマネキンの頭部との位置関係を示す模式図である。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
＜第１の実施形態＞
本実施形態では、本発明の一例の吹き出し構造を有するヘアドライヤ１を例に挙げて説明する。
【００１３】
（ヘアドライヤ１の全体構成）
先ず、本実施の形態にかかるヘアドライヤ１の全体構成について、図１および図２を用いて説明する。図１は、ヘアドライヤ１の斜視図である。図２には、ヘアドライヤ１を正面（吹き出し口側）から見たときの外観を示す平面図である。
【００１４】
図１に示すように、ヘアドライヤ１は、主として、本体部１０と、把持部２０とで構成されている。本体部１０は、内部に送風機構を有しており、吸い込み口１２から吸い込んだ空気を吹き出し口１１（１１ａおよび１１ｂ）から吹き出す。
【００１５】
把持部２０は、本体部１０の下方に位置している。把持部２０は、ヘアドライヤ１の使用時にユーザの持ち手となる部分である。把持部２０には、操作部７６（図３参照）が設けられている。ヘアドライヤ１の使用時に、ユーザが操作部７６を操作することで、ヘアドライヤ１が動作を開始したり停止したりする。また、操作部７６が操作されることで、吹き出し口１１から吹き出す風の種類（温風／冷風）および風量などが調節される。なお、一部の操作部を本体部に設けてもよい。
【００１６】
図示はしていないが、把持部２０の下方には、電源コードが取り付けられている。なお、本発明の別の態様では、ヘアドライヤ１はコードレスタイプであってもよい。この場合には、例えば、把持部２０の内部に一次電池または二次電池が備えられている。
【００１７】
本明細書では、ヘアドライヤ１の各構成要素の形状および位置関係などを説明するにあたって、便宜上、ヘアドライヤ１を図１および図２などに示すようなＸ（Ｘ１−Ｘ２）方向（幅方向）、Ｙ（Ｙ１−Ｙ２）方向（上下方向）、Ｚ（Ｚ１−Ｚ２）方向（前後方向）という三方向の座標軸で規定する。
【００１８】
本体部１０は、略直方体の外形形状を有している。本体部１０のＺ１側は、前面１０ａ（吹き出し口１１の配置面）を構成している。前面１０ａには、風の吹き出し口１１が配置されている。風の吹き出し口１１は、第１の吹き出し口１１ａと第２の吹き出し口１１ｂという２つの吹き出し口で構成されている。本体部１０のＺ２側は、背面１０ｂを構成している。背面１０ｂには、空気の吸い込み口１２が配置されている。
【００１９】
図２に示すように、各吹き出し口１１ａおよび１１ｂは、本体部１０の前面１０ａの左右何れかの端部に配置されている。具体的には、第１の吹き出し口１１ａは、前面１０ａを正面から見て左側（Ｘ１側）の端部に沿って配置されている。また、第２の吹き出し口１１ｂは、前面１０ａを正面から見て右側（Ｘ２側）の端部に沿って配置されている。
【００２０】
各吹き出し口１１ａおよび１１ｂは、上下方向（Ｙ方向）に細長い形状（縦長形状）の開口部を有している。また、第１の吹き出し口１１ａの開口部と、第２の吹き出し口１１ｂの開口部とは、互いに略平行に配置されている。各吹き出し口１１ａおよび１１ｂの開口部がこのような形状となっていることで、ヘアドライヤ１を用いて髪を乾燥させるときに、施術箇所の髪の伸長方向に沿った方向に各開口部の長手方向を合わせることができる。
【００２１】
本体部１０の前面１０ａにおいて、第１の吹き出し口１１ａと第２の吹き出し口１１ｂとの間には、吹き出し口などは設けられておらず、平坦な形状となっている。
【００２２】
ヘアドライヤ１は、上記のような形状の吹き出し口１１を有していることで、本体部１０の前面１０ａの幅方向（Ｘ方向）の両側の端部から前方（Ｚ１方向）へ向けて風を吹き出し、施術箇所の位置において、前面１０ａの中央部分の前方位置において乱流を発生させることができる。
【００２３】
ここで、「乱流が発生している」とは、前面１０ａから前方向へ向かう空気の流れ（Ｚ１方向への空気の流れ）以外の空気の流れを有する気流が発生していることを意味する。例えば、施術箇所において髪が巻き上げられるような状態を、乱流が発生している状態ということができる。また、上記の「施術箇所の位置」とは、前面１０ａからヘアドライヤ１の想定使用距離Ｌだけ離れた位置と言い換えることもできる。
【００２４】
続いて、ヘアドライヤ１の内部構成を説明する。図３には、ヘアドライヤ１の内部構成を示す。ヘアドライヤ１の内部には、制御部７１、ファン７２、ヒータ７３、イオン供給部（帯電微粒子発生装置ともいう）７４、送風路（図示せず）、および操作部７６などが備えられている。
【００２５】
制御部７１は、操作部７６で操作された内容に応じて、ファン７２、ヒータ７３、およびイオン供給部７４などの動作を制御する。
【００２６】
ファン７２は、内部にモータを有している。ヘアドライヤ１の稼働時、モータの駆動力によってファン７２が回転する。これにより、本体部１０内の送風路で、吸い込み口１２から吹き出し口１１へと向かう空気の流れが形成される。
【００２７】
ヒータ７３は、吸い込み口１２から送風路内へ取り込まれた空気を加熱する。ヘアドライヤ１の稼働時、ヒータ７３が稼働することで、送風路の内部に取り込まれた空気が加熱され、吹き出し口１１から温風を送出させることができる。制御部７１は、ヒータ７３のＯＮ／ＯＦＦを制御する。例えば、ユーザが操作部７６において冷風吹き出しの運転モードを選択したときには、制御部７１は、ヒータ７３の運転を停止させる。これにより、吹き出し口１１からは、冷風が送出される。また、制御部７１は、吹き出し口１１から温風と冷風とが交互に吹き出されるようにヒータ７３を制御してもよい。
【００２８】
イオン供給部７４は、吹き出し口１１の近傍に配置されている。
【００２９】
イオン供給部７４は、正（＋）イオン（例えば、Ｈ＋（Ｈ２Ｏ）ｍ（ｍは任意の自然数））および負（−）イオン（例えば、Ｏ２−（Ｈ２Ｏ）ｎ（ｎは任意の自然数））の少なくとも何れかを発生する。ヘアドライヤ１にイオン供給部７４が備えられていることで、吹き出し口１１から吹き出す風にイオンを含有させることができる。吹き出し口１１から吹き出す風にイオンが含まれていることで、施術される頭皮のうるおいを保つなど、頭皮環境を整えることができる。また、施術される毛髪のうるおいをキープしたり、キューティクルを引き締めたりして毛髪のダメージを抑え、トリートメント効果を得ることができる。なお、本発明の別の態様にかかるヘアドライヤでは、イオン供給部が設けられていない構成とすることもできる。
【００３０】
操作部７６は、ユーザによって操作される。操作部７６における操作情報は、制御部７１へ送信される。
【００３１】
以上の構成により、ヘアドライヤ１を稼働させると、吹き出し口１１から風が吹き出される。吹き出し口１１から吹き出された風は、ユーザの施術箇所およびその近傍へ導かれる。これにより、毛髪を乾燥させることができる。
【００３２】
ここで、施術箇所とは、ユーザの頭部（具体的には、毛髪など）の一部分であって、ヘアドライヤ１を用いて重点的に乾燥される場所のことを意味する。例えば、ヘアドライヤ１の使用時に、本体部１０の前面１０ａと対面している箇所が施術箇所に相当する。なお、ヘアドライヤ１の使用時、ユーザは、毛髪に対してヘアドライヤ１を移動させながら乾燥を行う。したがって、施術箇所は順次移動する。
【００３３】
（吹き出し口から吹き出される風について）
続いて、ヘアドライヤ１の吹き出し口１１から吹き出される風の流れについて図面を参照しながら説明する。また、ヘアドライヤ１を使用して髪を乾燥させる方法についても説明する。
【００３４】
図４は、ヘアドライヤ１を上方側から見たとき（すなわち、Ｙ１側からＹ２側を見たとき）の平面図である。図４では、本体部１０の前面１０ａに設けられている第１の吹き出し口１１ａおよび第２の吹き出し口１１ｂの配置位置を図示している。図５には、ヘアドライヤ１を用いて毛髪を乾燥させるときの施術箇所における風速分布を模式的に示す。図６には、ヘアドライヤ１を用いて毛髪を乾燥させるときの施術箇所における風の流れを模式的に示す。
【００３５】
図４に示すように、ヘアドライヤ１に設けられている２つの吹き出し口１１ａおよび１１ｂの各吹き出し面は、本体部１０の前面１０ａに沿って略面一となるように配置されている。そのため、各吹き出し口１１ａおよび１１ｂからは、前面１０ａに対して略垂直な方向（Ｚ１方向）に風が吹き出される。上述したように、第１の吹き出し口１１ａおよび第２の吹き出し口１１ｂは、上下方向（Ｙ方向）に縦長の形状を有している。そのため、第１の吹き出し口１１ａおよび第２の吹き出し口１１ｂからは、幅方向（Ｘ方向）に比較的収束した状態の風が前方へ向かってそれぞれ吹き出される。
【００３６】
第１の吹き出し口１１ａおよび第２の吹き出し口１１ｂから吹き出された風は、本体部１０の前面１０ａから想定使用距離Ｌだけ離れた位置において、図５に示すような速度分布を有する。ここで、想定使用距離Ｌとは、毛髪の乾燥という用途にヘアドライヤ１を使用する場合に想定される吹き出し口１１の配置面（すなわち、前面１０ａ）から施術箇所（ユーザの頭部（具体的には、毛髪または頭皮））までの距離を意味する。より具体的には、想定使用距離Ｌは、５ｃｍ以上３０ｃｍ以下の範囲内とすることができ、好ましくは、１０ｃｍ以上２０ｃｍ以下の範囲内とすることができる。
【００３７】
このような想定使用距離Ｌの範囲内において、各吹き出し口１１ａおよび１１ｂから吹き出された風は、第１の吹き出し口１１ａの正面位置および第２の吹き出し口１１ｂの正面位置における風の速度よりも、各正面位置の中央位置における風の速度が低くなっている。図５には、ヘアドライヤ１の前面１０ａの正面位置における高風速領域と低風速領域とを模式的に図示している。また、図５では、ヘアドライヤ１の想定使用距離Ｌ（すなわち、ユーザの頭部の近傍）における風速分布を破線の曲線形状で示している。破線が左側に位置するほど、高速であることを意味している。
【００３８】
また、第１の吹き出し口１１ａと第２の吹き出し口１１ｂとは、２ｃｍ以上１５ｃｍ以下の範囲内の間隔を有して離間していることが好ましく、４ｃｍ以上１０ｃｍ以下の範囲内の間隔を有して離間していることが好ましい。この構成により、第１の吹き出し口１１ａの正面位置と、第２の吹き出し口１１ｂの正面位置との間の位置において、乱流をより発生させやすくすることができる。
【００３９】
ヘアドライヤ１が上記のような風の吹き出し構造を有していることで、各吹き出し口１１ａおよび１１ｂが配置されている前面１０ａからヘアドライヤ１の想定使用距離Ｌだけ離れた位置（すなわち、ユーザの頭部の近傍）において、吹き出し口１１ａおよび１１ｂの各正面位置の間の位置で、各吹き出し口から吹き出された風によって乱流を発生させることができる。図６には、第１の吹き出し口１１ａの正面位置と第２の吹き出し口１１ｂの正面位置との間で、各吹き出し口１１ａおよび１１ｂから吹き出された風によって、各吹き出し口１１ａおよび１１ｂから吹き出された風の間で乱流が発生する様子を示す。すなわち、ヘアドライヤの吹き出し口から想定使用距離Ｌだけ離れた位置において、第１の吹き出し口１１ａの正面位置と第２の吹き出し口１１ｂの正面位置との間で乱流が発生している様子を示している。
【００４０】
ヘアドライヤ１を用いた毛髪乾燥時の施術箇所において、このような乱流が発生することによって、施術箇所の毛髪は巻き上げられ、頭皮から離れるように拡散される。これにより、濡れて束になりがちな毛髪を個々に離散させつつ、毛髪に風を当てることができる。そのため、より短時間で効率的に濡れた毛髪を乾燥させることが可能となる。
【００４１】
なお、ヘアドライヤ１を用いて毛髪の乾燥を行う場合には、乾燥対象となる施術箇所の毛髪の伸長方向にヘアドライヤ１の上下方向（Ｙ方向）が沿うように、本体部１０の前面１０ａを施術箇所に対面させることが好ましい。このようにしてヘアドライヤ１を使用することで、縦長形状の各吹き出し口１１ａおよび１１ｂの長手方向を、毛髪の伸長方向に沿わせることができる。これにより、濡れて束になりがちな毛髪のそれぞれをより分散させやすくなり、濡れた毛髪をより効率的に乾燥させることができる。
【００４２】
（実施例）
以下では、ヘアドライヤ１を用いて、施術箇所（毛髪）の各位置間の風速差を測定した結果を示す。また、風速差の大きさと乱流の発生状況を観察した結果も併せて示す。
【００４３】
図９には、本実施例で使用したヘアドライヤ１と、施術対象であるマネキンの頭部との位置関係を模式的に示す。ヘアドライヤ１の消費電力は、１２００ワット（Ｗ）とした。また、各吹き出し口１１ａおよび１１ｂ間の距離は、Ｙ＝６ｃｍとした。また、想定使用距離Ｌは、Ｘ＝５〜３０ｃｍとした。また、施術対象としては、マネキンの乾燥状態の毛髪を使用した。
【００４４】
本実施例では、吹き出し口の正面位置（高風速領域）（図９のＡおよびＣの位置）での風速と、各吹き出し口の中間位置（低風速領域）（図９のＢの位置）での風速との差を種々に変更し、乱流の発生状況を観察した。結果を、表１に示す。表１に示すように、各速度差の場合の乱流の発生状況を、〇（良好に発生）、△（ある程度発生）、×（発生が弱い）の三段階で評価した。乱流の発生が弱い（表１の×に相当）と毛髪の乾燥時間があまり短縮されない。
【００４５】
【表１】
2019244390.tif 000003
【００４６】
表１に示す結果から、高風速領域（位置Ａまたは位置Ｃ）と低風速領域（位置Ｂ）との風速差が、４．４ｍ／ｓ以上あれば、低風速領域（位置Ｂ）に該当する髪の毛が浮き上がり、乾燥速度が向上することが確認できた。
【００４７】
高風速領域と低風速領域との風速差が、４．４ｍ／ｓおよび４．５ｍ／ｓであれば、図９に示す位置Ａと位置Ｃの毛髪が高風速により頭部側に凹み、位置Ｂの毛髪は低風速により頭部側に位置Ａと位置Ｃよりも凹まない。このようにして、位置Ａと位置Ｃとの間の位置Ｂにおいて乱流を発生させ、位置Ｂの毛髪を浮き上がらせることができた。すなわち、想定使用距離Ｌを５ｃｍ以上３０ｃｍ以下の範囲内とした場合には、高風速領域と低風速領域との風速差を４．０ｍ／ｓ以上とすることで、位置Ｂにおいて乱流を発生させることができる。高風速領域と低風速領域との風速差をより大きく（例えば、約８．０ｍ／ｓ以上）することで、乱流の発生効果は高まり、毛髪の乾燥時間をさらに短縮できる。
【００４８】
なお、想定使用距離Ｌを１０ｃｍ以上２０ｃｍ以下の範囲内とすることで、高風速領域と低風速領域との風速差が小さくなった場合であっても、乱流を発生させることができる。
【００４９】
（第１の実施形態のまとめ）
本実施形態にかかるヘアドライヤ１は、風の吹き出し構造を有している。この吹き出し構造は、第１の吹き出し口１１ａと、第１の吹き出し口１１ａから離間して配置されている第２の吹き出し口１１ｂとを備えている。この吹き出し構造は、第１の吹き出し口１１ａおよび第２の吹き出し口１１ｂの配置面（すなわち、前面１０ａ）からヘアドライヤの想定使用距離Ｌだけ離れた位置（例えば、施術箇所の位置）において、第１の吹き出し口１１ａの正面位置と第２の吹き出し口１１ｂの正面位置との間で乱流が生じるように構成されている。
【００５０】
この構成によれば、ヘアドライヤ１を使用した毛髪乾燥時に、施術箇所の位置で乱流が発生することによって、施術箇所の毛髪は巻き上げられ、頭皮から離れるように拡散される。これにより、濡れて束になりがちな毛髪を個々に離散させつつ、毛髪に風を当てることができる。そのため、より短時間で効率的に濡れた毛髪を乾燥させることが可能となる。
【００５１】
ヘアドライヤ１は、このような吹き出し構造を有していることで、ユーザが自身の毛髪を乾燥させる場合に、より高い利便性を有する。
【００５２】
なお、上述した実施形態では、ヘアドライヤ１の本体部１０が２つの吹き出し口（すなわち、第１の吹き出し口１１ａおよび第２の吹き出し口１１ｂ）を有している構成を例に挙げて説明した。しかし、本発明の他の例では、２つの吹き出し口（例えば、第１の吹き出し口１１ａおよび第２の吹き出し口１１ｂ）を有しているアタッチメント（吹き出し構造）をヘアドライヤの本体部の前面に取り付けて使用されるという態様であってもよい。
【００５３】
また、上述した実施形態では、各吹き出し口１１ａおよび１１ｂが縦長形状を有している例について説明した。しかし、別の構成例では、各吹き出し口は縦長形状ではなく、円形状などのように、Ｘ方向の長さとＹ方向の長さが略同じような形状の吹き出し口とすることもできる。この場合には、第１の吹き出し口と第２の吹き出し口との離間距離を、使用想定距離を考慮して、その吹出し口形状に適した距離を実験により見出せばよい。これにより、各吹き出し口の正面位置の間で乱流を生じさせることができる。
【００５４】
＜第２の実施形態＞
続いて、本発明の第２の実施形態について説明する。第２の実施形態では、吹き出し口の構成が第１の実施形態とは異なっている。それ以外の構成については、第１の実施形態とほぼ同様の構成を適用することができる。そこで、以下では、第１の実施形態とは異なる構成を中心に説明する。
【００５５】
図７には、第２の実施形態にかかるヘアドライヤ１０１を示す。図７は、ヘアドライヤ１０１を上方側から見たとき（すなわち、Ｙ１側からＹ２側を見たとき）の図である。
【００５６】
第２の実施形態にかかるヘアドライヤ１０１は、主として、本体部１１０と、把持部２０とで構成されている。本体部１１０は、内部に送風機構を有しており、吸い込み口１２から吸い込んだ空気を各吹き出し口１１１ａおよび１１１ｂから吹き出す。
【００５７】
本体部１１０の内部構成については、第１の実施形態で説明した本体部１０の内部構成とほぼ同様の構成が適用できる。また、把持部２０の構成については、第１の実施形態で説明した把持部２０の構成と同様の構成が適用できる。そのため、詳しい説明は省略する。
【００５８】
本体部１１０は、略直方体の外形形状を有している。本体部１１０のＺ１側は、前面１１０ａ（吹き出し口１１１ａおよび１１１ｂの配置面）を構成している。前面１１０ａには、風の吹き出し口が配置されている。風の吹き出し口は、第１の吹き出し口１１１ａと第２の吹き出し口１１１ｂという２つの吹き出し口で構成されている。本体部１１０のＺ２側は、背面を構成している。背面には、空気の吸い込み口１２が配置されている。
【００５９】
各吹き出し口１１１ａおよび１１１ｂは、上下方向（Ｙ方向）に細長い形状（縦長形状）の開口部を有している。第１の実施形態と同様に、第１の吹き出し口１１１ａは、前面１１０ａを正面から見て左側（Ｘ１側）の端部に沿って配置されている。また、第２の吹き出し口１１１ｂは、前面１１０ａを正面から見て右側（Ｘ２側）の端部に沿って配置されている。
【００６０】
これにより、正面から前面１１０ａを見たときに、第１の吹き出し口１１１ａと、第２の吹き出し口１１１ｂとは、互いに略平行な位置関係となっている。各吹き出し口１１１ａおよび１１１ｂがこのような形状となっていることで、ヘアドライヤ１０１を用いて髪を乾燥させるときに、施術箇所の髪の方向に沿った方向に各吹き出し口１１１ａおよび１１１ｂの長手方向を合わせることができる。
【００６１】
第１の実施形態にかかるヘアドライヤ１では、第１の吹き出し口１１ａおよび第２の吹き出し口１１ｂの各吹き出し面は、本体部１０の前面１０ａに沿って略面一となるように配置されている。これに対して、本実施形態にかかるヘアドライヤ１０１では、第１の吹き出し口１１１ａおよび第２の吹き出し口１１１ｂの各吹き出し面は、ともにやや内側に向かって風を吹き出すように構成されている。すなわち、本体部１１０を正面から見て左側の端部に配置されている第１の吹き出し口１１１ａは、真正面よりもやや右に傾いた風の吹き出し方向を有している。また、本体部１１０を正面から見て右側の端部に配置されている第２の吹き出し口１１１ｂは、真正面よりもやや左に傾いた風の吹き出し方向を有している。
【００６２】
これにより、図７に示すように、各吹き出し口１１１ａおよび１１１ｂからそれぞれ吹き出された風は、前面１１０ａの正面側の幅方向（Ｘ方向）の中央部へ向けられる。この構成により、各吹き出し口１１１ａおよび１１１ｂから吹き出される風が外側に拡散させることを抑制することができる。そのため、風量の損失を低減させることができる。
【００６３】
なお、各吹き出し口１１１ａおよび１１１ｂの前面１１０ａに対する傾斜角度は、想定使用距離Ｌだけ離れた位置において、吹き出し口１１１ａおよび１１１ｂの各正面位置の間の位置で、各吹き出し口から吹き出された風によって乱流を発生させることができる程度とするのがよい。また、各吹き出し口から吹き出された風によって乱流を発生させることができるように、第１の吹き出し口１１１ａと第２の吹き出し口１１１ｂと間の距離は、第１の実施形態で説明した距離（例えば、２ｃｍ以上１５ｃｍ以下の距離）よりも大きくしてもよい。
【００６４】
＜第３の実施形態＞
続いて、本発明の第３の実施形態について説明する。第３の実施形態では、吹き出し口の構成が第１の実施形態とは異なっている。それ以外の構成については、第１の実施形態とほぼ同様の構成を適用することができる。そこで、以下では、第１の実施形態とは異なる構成を中心に説明する。
【００６５】
図８には、第３の実施形態にかかるヘアドライヤ２０１を示す。図８は、ヘアドライヤ２０１を正面（吹き出し口側）から見たときの構成を示す平面図である。
【００６６】
第３の実施形態にかかるヘアドライヤ２０１は、主として、本体部２１０と、把持部２０とで構成されている。本体部２１０は、内部に送風機構を有しており、吸い込み口１２から吸い込んだ空気を各吹き出し口２１１ａおよび２１１ｂから吹き出す。
【００６７】
本体部２１０の内部構成については、第１の実施形態で説明した本体部１０の内部構成とほぼ同様の構成が適用できる。また、把持部２０の構成については、第１の実施形態で説明した把持部２０の構成と同様の構成が適用できる。そのため、詳しい説明は省略する。
【００６８】
本体部２１０は、略直方体の外形形状を有している。本体部２１０のＺ１側は、前面２１０ａ（吹き出し口２１１ａおよび２１１ｂの配置面）を構成している。前面２１０ａには、風の吹き出し口が配置されている。風の吹き出し口は、第１の吹き出し口２１１ａと第２の吹き出し口２１１ｂという２つの吹き出し口で構成されている。本体部２１０のＺ２側は、背面を構成している。背面には、空気の吸い込み口１２が配置されている。
【００６９】
また、本実施形態では、図８に示すように、第１の吹き出し口２１１ａの吹き出し面が複数の開口部２１３を有している。同様に、第２の吹き出し口２１１ｂの吹き出し面が複数の開口部２１３を有している。図８では、第１の吹き出し口２１１ａおよび第２の吹き出し口２１１ｂが、６個の開口部を各々有している例を示しているが、開口部の個数は５個に限定されない。また、図８では、開口部２１３の形状は略円形であるが、開口部の形状は円形に限定されない。
【００７０】
このように、本体部２１０に設けられている各吹き出し口２１１ａおよび２１１ｂの吹き出し面は、複数に分割されていてもよい。
【００７１】
（まとめ）
本発明の一局面は、ヘアドライヤの吹き出し構造に関する。この吹き出し構造は、第１の吹き出し口と、前記第１の吹き出し口から離間して配置されている第２の吹き出し口とを備えている。この吹き出し構造は、前記第１の吹き出し口および前記第２の吹き出し口の配置面から前記ヘアドライヤの想定使用距離だけ離れた位置において、前記第１の吹き出し口の正面位置と前記第２の吹き出し口の正面位置との間で、前記第１の吹き出し口から吹き出された風と、前記第２の吹き出し口から吹き出された風とによって乱流が生じるように構成されている。
【００７２】
上記の本発明の一局面にかかる吹き出し構造において、前記第１の吹き出し口と、前記第２の吹き出し口とは、ヘアドライヤの幅方向（例えば、Ｘ方向）に並んで配置されており、前記第１の吹き出し口および前記第２の吹き出し口は、前記幅方向に対して交差する方向（例えば、Ｙ方向）に長手方向を有する縦長形状となっていてもよい。
【００７３】
上記の本発明の一局面にかかる吹き出し構造は、前記ヘアドライヤの想定使用距離だけ離れた位置において、前記第１の吹き出し口の正面位置および前記第２の吹き出し口の正面位置における風の速度よりも、各正面位置の中央位置における風の速度が低くなるように構成されていてもよい。ここで、各正面位置の中央位置には、第１の吹き出し口の正面位置と第２の吹き出し口の正面位置とのちょうど中間の位置、および当該中間の位置からややずれた位置などが含まれる。
【００７４】
なお、前記第１の吹き出し口の正面位置および前記第２の吹き出し口の正面位置における風の速度と、各正面位置の中央位置における風の速度との差は、４．０ｍ／ｓ以上であることが好ましい。
【００７５】
上記の本発明の一局面にかかる吹き出し構造において、前記第１の吹き出し口と前記第２の吹き出し口とは、正面から見て互いに略平行に配置されていてもよい。また、互いに平行に配置された第１の吹き出し口および第２の吹き出し口の各吹き出し面は、面一になるように配置されていてもよいし、互いに内向きとなる位置に配置されていてもよい。
【００７６】
本発明のもう一つの局面は、ヘアドライヤに関する。このヘアドライヤは、上記の何れかの構成の吹き出し構造を有している。このようなヘアドライヤとしては、例えば、ヘアドライヤ１、１０１、および２０１などが挙げられる。
【００７７】
本発明のさらなる局面は、ヘアドライヤの使用方法に関する。この使用方法において、ヘアドライヤは、第１の吹き出し口と、前記第１の吹き出し口から離間して配置されている第２の吹き出し口とを備えている。このヘアドライヤの使用方法は、前記第１の吹き出し口および前記第２の吹き出し口の配置面から前記ヘアドライヤの想定使用距離だけ離れた位置において、前記第１の吹き出し口の正面位置と前記第２の吹き出し口の正面位置との間で、前記第１の吹き出し口から吹き出された風と、前記第２の吹き出し口から吹き出された風とによって乱流を生じさせる。
【００７８】
上記の本発明の一局面にかかるヘアドライヤの使用方法は、前記ヘアドライヤの想定使用距離だけ離れた位置において、前記第１の吹き出し口の正面位置および前記第２の吹き出し口の正面位置における風の速度よりも、各正面位置の中央位置における風の速度を低くさせることによって、前記乱流を生じさせてもよい。
【００７９】
なお、上記のヘアドライヤの使用方法において、前記第１の吹き出し口の正面位置および前記第２の吹き出し口の正面位置における風の速度と、各正面位置の中央位置における風の速度との差を、４．０ｍ／ｓ以上とすることが好ましい。
【００８０】
上記の本発明の一局面にかかるヘアドライヤの使用方法において、前記第１の吹き出し口と、前記第２の吹き出し口とは、ヘアドライヤの幅方向（例えば、Ｘ方向）に並んで配置されていてもよい。そして、前記第１の吹き出し口および前記第２の吹き出し口は、前記幅方向に対して交差する方向（例えば、Ｙ方向）に長手方向を有する縦長形状となっており、前記縦長形状を、前記ヘアドライヤの使用対象である毛髪の伸長方向に沿って配置させることが好ましい。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００８２】
１      ：ヘアドライヤ
１０    ：本体部
１０ａ  ：前面
１１    ：吹き出し口
１１ａ  ：第１の吹き出し口
１１ｂ  ：第２の吹き出し口
１２    ：吸い込み口
１０１  ：ヘアドライヤ
１１０  ：本体部
１１０ａ：前面
１１１ａ：第１の吹き出し口
１１１ｂ：第２の吹き出し口
２０１  ：ヘアドライヤ
２１０  ：本体部
２１０ａ：前面
２１１ａ：第１の吹き出し口
２１１ｂ：第２の吹き出し口
２１３  ：開口部
【図１】
2019244390.tif 000004
【図２】
2019244390.tif 000005
【図３】
2019244390.tif 000006
【図４】
2019244390.tif 000007
【図５】
2019244390.tif 000008
【図６】
2019244390.tif 000009
【図７】
2019244390.tif 000010
【図８】
2019244390.tif 000011
【図９】
2019244390.tif 000012
【国際調査報告】
2019244390.tif 000013
2019244390.tif 000014
2019244390.tif 000015
2019244390.tif 000016